(57)【要約】【課題】海の浅い場所に設置でき、オニヒトデの食害や泥土の付着が防止できる揺りかご式サンゴ人工養殖架台を提供する。【解決手段】海底に固定される架台部分３によって、揺動チェーン５を介して揺動部分７が揺動可能に支持される。すなわち、この架台部分３の一部として左右上方の両端部に互いに平行に位置する一対の固定バー３５に設けられる揺動チェーン５を介して、揺動部分７が支持される。この揺動部分７の一部として左右両端部に互いに平行に位置し、前記揺動チェーン５に支持される一対の揺動バー９の間に、養殖チェーン１１が略水平方向へ張り渡され、養殖チェーン１１にサンゴの小片１５が取付けられる。【選択図】図１
2010213597.tif 000002
【特許請求の範囲】
【請求項１】
海底に固定される架台部分と、この架台部分によって揺動チェーンを介して揺動可能に支持される揺動部分と、を有し、前記揺動部分は、略水平方向へ張り渡されサンゴの小片が取付けられる養殖チェーンと、を有して構成されることを特徴とする揺りかご式サンゴ人工養殖架台。
【請求項２】
海底に固定される架台部分と、この架台部分の一部として左右上方の両端部に互いに平行に位置する一対の固定バーと、これらの固定バーによって揺動チェーンを介して支持される揺動部分と、この揺動部分の一部として左右両端部に互いに平行に位置し、前記揺動チェーンに支持される一対の揺動バーと、これら一対の揺動バーの間に略水平方向へ張り渡されサンゴの小片が取付けられる養殖チェーンと、を有することを特徴とする揺りかご式サンゴ人工養殖架台。
【請求項３】
前記架台部分は、複数本のパイプが組み合わされて構成され、前記一対の固定バーが位置する左右上方の両端部がもっとも高く、中央は低く構成されることを特徴とする請求項２に記載の揺りかご式サンゴ人工養殖架台。
【発明の詳細な説明】
【技術分野】
【０００１】
この発明は、サンゴ人工養殖装置に関する。
【背景技術】
【０００２】
サンゴを人工的に養殖するには、サンゴの小片を海中に保持する。サンゴの小片とは、例えば自然のサンゴなどから、莢肉部を含み、小骨格などと呼ばれる破片を折り取り、適当な付着体にその破片を固定したものをいう。保持する場所は、オニヒトデの食害や泥土の付着から免れる場所でなければならない。
【０００３】
そのため、下記特許文献１の装置では、海面に浮かぶ筏等より小骨格を固定した付着体ごと、縦方向へ垂下して、サンゴを生長させて増殖する。
また、下記特許文献２の装置では、海中に固定した複数の浮きにより、水平方向へ多孔質の基質を設け、サンゴを人工的に養殖する。
【先行技術文献】
【特許文献】
【０００４】
【特許文献１】特開平６−３０３８７５
【特許文献２】特開２００４−２３６５６１
【発明の概要】
【発明が解決しようとする課題】
【０００５】
しかしながら、特許文献１の装置は、サンゴの小片を縦方向へ垂下する構造であり、海の設置場所は、一定の深さが必要である。特許文献の装置は、海中に複数の浮きを固定した状態が維持できなければならず、よって、やはり一定の深さが必要である。
そして、海の浅い場所に設置する装置を考えると、オニヒトデの食害や泥土の付着の防止が十分ではなくなる。
この発明は、以上の問題点を解決するために、海の浅い場所に設置でき、オニヒトデの食害や泥土の付着の防止が十分な揺りかご式サンゴ人工養殖架台を提供することを目的とする。
【課題を解決するための手段】
【０００６】
以上の課題を解決するために、第一発明は、海底に固定される架台部分と、この架台部分によって揺動チェーンを介して揺動可能に支持される揺動部分と、を有し、前記揺動部分は、略水平方向へ張り渡されサンゴの小片が取付けられる養殖チェーンと、を有して構成されることを特徴とする揺りかご式サンゴ人工養殖架台である。
【０００７】
第二発明は、海底に固定される架台部分と、この架台部分の一部として左右上方の両端部に互いに平行に位置する一対の固定バーと、これらの固定バーによって揺動チェーンを介して支持される揺動部分と、この揺動部分の一部として左右両端部に互いに平行に位置し、前記揺動チェーンに支持される一対の揺動バーと、これら一対の揺動バーの間に略水平方向へ張り渡されサンゴの小片が取付けられる養殖チェーンと、を有することを特徴とする揺りかご式サンゴ人工養殖架台である。
【０００８】
第三発明は、さらに、前記架台部分は、複数本のパイプが組み合わされて構成され、前記一対の固定バーが位置する左右上方の両端部がもっとも高く、中央は低く構成されることを特徴とする揺りかご式サンゴ人工養殖架台である。
【発明の効果】
【０００９】
第一、又は第二発明によれば、海底に固定される架台部分によって、揺動部分の養殖チェーンは略水平方向へ張り渡されるので、海の浅い場所に設置できる。また、波の動きにより揺動部分が揺動するので、泥土の付着が防止され、取り付いたオニヒトデも振り落とされ易い。また、オニヒトデは揺動部に取り付くには、揺動チェーンを渡らなければならず、取り付きにくい。よって、オニヒトデの食害も防止できる。
【００１０】
第二、又は第三発明によれば、さらに、簡素な構造によって装置を得ることができ、製造コストを抑えることができる。
【図面の簡単な説明】
【００１１】
【図１】（Ａ）は、この発明の一実施形態を示す揺りかご式サンゴ人工養殖架台の全体斜視図、（Ｂ）は、（Ａ）のサンゴ小片の取付部分の拡大図である。
【発明を実施するための形態】
【００１２】
この発明の実施形態に係る揺りかご式サンゴ人工養殖架台を、図１（Ａ）に示す。
この揺りかご式サンゴ人工養殖架台１は、海底に固定される架台部分３と、この架台部分３によって揺動チェーン５を介して揺動可能に支持される揺動部分７と、を有する。
揺動部分７は、左右両端部に一対の揺動バー９が設けられ、互いに平行に位置する。これら一対の揺動バー９の間に、略水平方向へ５本（状況により増減）の養殖チェーン１１が張り渡される。５本（状況により増減）の養殖チェーン１１の各中央は、揺動バー９に並行に設けられるぶつかり防止バー１３に連結され、各養殖チェーン１１が互いにぶつかるのを防止する。
【００１３】
これら養殖チェーン１１に、サンゴの小片１５が取付けられる。同図（Ｂ）に示すように、この取付は、なまし線１７によって行なわれる。なまし線１７は、全体が略Ｌ字状を有し、略Ｌ字の縦辺１９の上端が折り返されて深いフック２１となり、養殖チェーン１１に係止される。略Ｌ字の横辺２３は傾斜し、その上端はさらに水平に屈曲し、その水平部分２５にサンゴの小片１５が取付けられる。
【００１４】
架台部分３は、複数本のパイプ（２７〜３５）が組み合わされて構成され、前記一対の固定バー３５が位置する左右上方の両端部がもっとも高く、中央は低く構成される。
すなわち、海底に前後に一対の基礎パイプ２７が互いに平行に配置され、その間を４本の横行パイプ２９が配置され、これらが互いに連結される。各基礎パイプ２７からは上方へ２種類４本の上下パイプ３１が連結される。上下パイプ３１は、各基礎パイプ２７の両端のものは高く、中央よりのものは低い。これら高低の組の上下パイプ３１の先端に、斜行パイプ３３が連結される。よって、合計４本の斜行パイプ３３が設けられる。これら斜行パイプ３３の高い先端に連結して、横行パイプ２９と並行に、固定バー３５が設けられる。
【００１５】
この固定バー３５に、揺動チェーン５の一端が連続され、この揺動チェーン５の他端に、揺動部分７の揺動バー９が連続する。揺動チェーン５は、１本の揺動バー９に２本がハの字に設けられ、合計４本設けられる。揺動チェーン５が、揺動部分７の揺動を促進する。
固定バー３５と揺動バー９の両端の間には、長さに余裕がある過揺れ防止チェーン３７が取付けられ、揺れが大きくなりすぎるのを防止する。
なお、揺動部分７の養殖チェーン１１があまり大きく垂れ下がって海底に近づかないように、揺動部分７に複数の小さな浮きを取付けることも可能である。
「実施形態の効果」
海底に固定される架台部分３によって、揺動部分７の養殖チェーン１１は略水平方向へ張り渡されるので、浮力を有する筏や浮きを必要とせず、縦方向へ垂下することもない。よって、海の浅い場所に設置できる。
【００１６】
また、揺動チェーン５で支持された揺動部分７が、波の動きにより揺動するので、揺動部分７に取付けられるサンゴの小片１５へ、泥土が付着するのが防止される。また、この揺動により、サンゴの小片１５へ取り付いたオニヒトデも、振り落とされ易い。また、オニヒトデは揺動部のサンゴの小片１５へ取り付くには、揺動チェーン５を渡らなければならず、非常に取り付きにくい。よって、オニヒトデの食害も防止できる。
【００１７】
さらに、パイプ（２７〜３５）とチェーン（５，１１，３７）を用いた簡素な構造によって装置を得ることができ、製造コストを抑えることができる。
また、装置全体を低く横張りにすることで、波浪の影響を軽減できる。
さらに、装置の構成に横張りのチェーンを用いることで、切断を防ぎ、二点（両端）支持により負荷を軽減できる。
【００１８】
また、サンゴ片は、なまし線を曲げて針金で取り付けるため、簡易であり単品での移動も容易である。
さらに、チェーンを使用のため切断の心配もなく、底部からサンゴの位置を浮かすことでオニヒトデによる食害からも守られる。よって養殖、増殖の期待とともにそのまま密度の濃いサンゴ群集（産卵する親サンゴ）の維持が期待できる。
【００１９】
揺りかご式にすることで、自然の潮流から受ける架台全体の揺れを利用しサンゴに付着する泥土を除去できる。サンゴ上に泥土が付着するとサンゴ自ら粘液を出して、これを除去しようとし、泥土がサンゴの能力を超え堆積すると、ストレス等で生息が阻害されることが知られているが、この生息阻害を防止できる。
【符号の説明】
【００２０】
１…式サンゴ人工養殖架台、３…架台部分、５…揺動チェーン、７…揺動部分、９…揺動バー、１１…養殖チェーン、１３…ぶつかり防止バー、サンゴの１５…小片、１７…なまし線、１９…縦辺、２１…フック、２３…横辺、２５…水平部分、２７…基礎パイプ、２９…横行パイプ、３１…上下パイプ、３３…斜行パイプ、３５…固定バー、３７…過揺れ防止チェーン。
【図１】
2010213597.tif 000003